(57)【要約】【課題】光ディスクに対して常に最良の状態の信号の書き込みを行うことを課題とする。【解決手段】信号の書き込みを行う書き込み用レーザ光源４１と、上記書き込み用レーザ光源によって上記光ディスクに書き込まれた直後の信号２１を読み取る読取用レーザ光源４２と、上記読取用レーザ光源によって読み取った再生信号からジッター量を検出するジッター量測定手段５６と、上記ジッター量測定手段の測定結果に基づいて上記書き込み用レーザ光源を駆動する電流を制御する制御手段５７とを有する。【選択図】        図１
2005025873.tif 000002
【特許請求の範囲】
【請求項１】
光ディスクに光パワーによって信号の書き込みをする光ピックアップ装置であって、
信号の書き込みを行う書き込み用レーザ光源と、
上記書き込み用レーザ光源によって上記光ディスクに書き込まれた直後の信号を読み取る読取用レーザ光源と、
上記読取用レーザ光源によって読み取った再生信号からジッター量を検出するジッター量測定手段と、
上記ジッター量測定手段の測定結果に基づいて上記書き込み用レーザ光源を駆動する電流を制御する制御手段とを有する
ことを特徴とする光ピックアップ装置。
【請求項２】
光ディスクに光パワーによって信号の書き込み及び書き込まれた信号の読取を行う光ディスクドライブ装置であって、
光ディスクを回転させるディスク駆動手段と、
ディスク駆動手段によって回転される光ディスクの半径方向に移動しながら光ディスクへの信号の書き込み及び書き込まれた信号の読取を行う光ピックアップ装置とを備え、
上記光ピックアップ装置は、信号の書き込みを行う書き込み用レーザ光源と、上記書き込み用レーザ光源によって上記光ディスクに書き込まれた直後の信号を読み取る読取用レーザ光源と、上記読取用レーザ光源によって読み取った再生信号からジッター量を検出するジッター量測定手段と、上記ジッター量測定手段の測定結果に基づいて上記書き込み用レーザ光源を駆動する電流を制御する制御手段とを有する
ことを特徴とする光ディスクドライブ装置。
【発明の詳細な説明】
【０００１】
【発明の属する技術分野】
本発明は新規な光ピックアップ装置及び光ディスクドライブ装置に関する。詳しくは、光ディスクへの高品位な信号の記録を可能にする技術に関する。
【０００２】
【従来の技術】
ＣＤ−Ｒ（Ｃｏｍｐａｃｔ  Ｄｉｓｃ  Ｒｅｃｏｒｄａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）、ブルーレイディスク（Ｂｒｕ−ｒａｙ  Ｄｉｓｃ）等、種々の光ディスクが普及してきていて、さらなる倍速記録競争が激化し、４０倍速を越える超高速記録装置が提案されるようになってきている。
【０００３】
しかしながら、種々の光ディスクが高速記録で利用される場合、その書き込み品質の悪化が問題となってきていて、満足な書き込みができない場合すら頻繁に発生するようになってきている。
【０００４】
さらに高品質を要求される音源記録や映像記録に関しては、光ディスクの品質が劣悪で使いにくいという不満が増えてきている。
【０００５】
上記した不具合の原因は単純に一つに絞り込むことはできないが、多くの場合、書き込み信号のジッター不良が原因の大半を占めていて、ディスクドライブ装置側で各種ディスクに対応してジッターの最適化が図られれば、書き込み品質を改善することが可能である。特に、ブルーレイディスク等の高密度記録を行う光ディスクや多層ディスクへの記録の際には、ピット形状が従来の光ディスク以上に細かく、且つ、規格も厳しくなるため、そのジッターの管理は非常に重要になってくる。
【０００６】
そこで、ジッター量を検出し、ジッター量が少なくなるように、ライトパワー、フォーカスサーボ、ラジアルチルト等のジッター量に影響を及ぼすパラメータを制御しようとの提案が幾つか為されている。
【０００７】
例えば、特許文献１にあっては、幾つかの異なるライトパワー毎にジッター量の測定を行い、ジッター量が最小となるライトパワーを求め、当該ライトパワーを最適ライトパワーとして記憶し、この最適ライトパワーをメモリ手段によって記憶しておき、実際のデータ記録の時に利用するものである。
【０００８】
また、特許文献２にあっては、再生する光ディスクにテストパターンデータ及び該テストパターンデータの隣接トラックに別のデータを記録し、フォーカスバイアスを変えながら上記テストパターンデータを再生し、そのときのジッター量が最小となるフォーカスバイアス値を見つける。このフォーカスバイアス値にフォーカスエラー信号を加えた信号を最適フォーカスサーボ信号とし、この最適フォーカスサーボ信号で当該光ディスクの再生を行うことによって、当該光ディスクの再生特性を向上させるものである。
【０００９】
さらに、特許文献３にあっては、予め２つの学習領域にデータが記録された光ディスクを使用し、当該光ディスクが光ディスク装置（光ディスクドライブ装置）に装着されると、光ディスク装置は学習領域の再生を開始する。学習領域の再生信号からジッター量を測定し、ラジアルチルト位置を変化させながら内外周の学習領域のジッター量がそれぞれ最小となるラジアルチルト位置を見つけ出し、それを各領域における最適ラジアルチルト位置と決定する。この最適ラジアルチルト位置によって当該光ディスクの再生を行うことによって信頼性の高い再生を行おうとするものである。
【００１０】
【特許文献１】
特開平１１−２７３０７８号公報（段落［００３５］、図５、図６）
【特許文献２】
特開平１１−２７３０９７号公報（段落［０００１］、［０００８］、［００１２］）
【特許文献３】
特開平８−４５０８１号公報（段落［００３１］、［００４３］〜［００５１］）
【００１１】
【発明が解決しようとする課題】
ところで、ジッターの発生要因には、ラジアルチルト（ディスク半径方向の傾き）、オフトラック（スポット光のトラック中心からのずれ）等による隣接トラックからの反射回折光によるクロストークや、タンジェンシャルチルト（記録トラック接線方向の傾き）、デフォーカス（焦点ずれ）、ディスクの経時変化、回路雑音等による再生信号振幅の低下や、波形干渉等、種々のものがあるが、先ず、記録（書き込み）そのものがしっかりと為されていれば、例えば、ピット形状（長さも含め）が正確に形成されていれば、ジッターのかなりの部分は解消されることが分かっている。そして、正確な記録を為すためには、書き込み用レーザの駆動電流が大きな要因を占めている。
【００１２】
図５に書き込み用レーザの駆動電流とそれによって光ディスクに書き込まれた波形（光ディスクに形成されたピット形状から再生される波形）との関係を図５に示す。なお、図５の各図において、横軸は時間軸を縦軸は各数値を示し、それぞれ矢印方向に増加するものとして表す。
【００１３】
図５（ａ）は書き込み用半導体レーザへ供給される駆動電流Ｉを、図５（ｂ）は図５（ａ）の駆動電流が供給されることによって半導体レーザに注入されるキャリアＮを、図５（ｃ）は図５（ｂ）のキャリアの注入による半導体レーザの発光波形Ｓを、図５（ｄ）は図５（ｃ）の波形のレーザ光で光ディスクに形成されたピットによる再生波形Ｐを、それぞれ示すものである。
【００１４】
先ず、図５（ａ）に示すような電流波形で半導体レーザを駆動することを考えてみる。なお、実際にはパルス波形で駆動することが多いが、ここでは原理的な説明をするために、最も単純な基本波形で考えることにする。この電流波形は記録したいピット形状に似た形状をした波形であり、初期に前バイアス電流としてＩ１レベルの電流を流し、記録時にレーザの光出力得ることができるＩ２レベルの電流に挙げる。そして、望みの長さだけレーザ駆動（書き込み動作）を行った後、Ｉ３レベルの後バイアス電流に下げる。
【００１５】
図５（ａ）のような電流による駆動によって、半導体レーザ内部への注入キャリアは図５（ｂ）に示すように変化し、その結果、図５（ｃ）に示すようなレーザ発光動作が行われる。
【００１６】
上記した駆動電流と発光波形との関係は、半導体レーザのレート方程式解析により知られている。この際問題となるのがレーザ発光の発振遅れである。時間ｔ＝０で電流をＩ１からＩ２に上昇させたときの発振遅れＴｄ（図５（ｃ）参照）は、注入キャリア数ｎが閾値ｎｔｈに達するまでに時間がかかるために生じ、この発振時間遅れＴｄは数１式によって表される。
【００１７】
【数１】
2005025873.tif 000003
【００１８】
レーザ発光の遅れを小さくするためには、キャリア寿命τｓを小さくするか、前バイアス電流Ｉ１を閾値電流Ｉｔｈまで上げることが最も有効であり、また、前バイアス電流Ｉ１を閾値電流Ｉｔｈ以上に上げることも可能である。しかしながら、この場合、前バイアス電流Ｉ１による発光で光ディスクに書き込んでしまうことや、既に書き込んだ信号（ピット）を変形させてしまわないように注意することが必要である。また、光の立ち下がりには、いわゆるすそ引きと称されるダレＳｈ（図５（ｃ）参照）が生じ、制御しにくい要素であるが、例えば、後バイアス電流Ｉ３を制御することで微調整することは可能である。
【００１９】
レーザ光は立ち上がり後、緩和振動Ｆｍ（図５（ｃ）参照）を数回繰り返すが、この振動の大きさや減衰の程度も書き込み形状（ピット形状）に影響を与える可能性があり、うまく行えば、立ち上がりエッジを強調させる効果があるためジッターの低減には有効である。前バイアス電流Ｉ１のレベルや前バイアス電流Ｉ１と発光電流Ｉ２との間に別レベルのパルス電流（中間パルス）を挿入することやそのタイミングを制御することで効果を出せる可能性がある。一般に、戻り光が多い場合や初期にレーザ内部光が多い場合に緩和振動Ｆｍが抑制されやすいという性質があるので、前バイアス電流Ｉ１を増やすか前バイアス電流Ｉ１以上のレベルの中間パルスを挿入することで緩和振動Ｆｍの程度を抑えることが出来る。この制御もジッターの適正化に効果がある。
【００２０】
上記したように、ジッターは、例えば、設計通りの綺麗な形状のピットが形成されている等、書き込み時に如何に状態のいい信号が書き込まれているかどうかということが大きく関わっており、この信号の書き込み状態が悪ければ、その他の要因、例えば、フォーカスバイアス値を調整したり、ラジアルチルト位置を調整しても、信号の大本で、ジッターの発生要因があるわけで、いかんともし難い。
【００２１】
その意味で、特許文献２及び特許文献２は、何れも、信号の書き込みは正しく為されていることを前提に、如何に高品位の再生信号を得るかということを目的としており、信号の書き込み自体を如何に高品位に行うかという目的はそぐわないものである。しかも、高品の再生を目指すにしても、再生する光ディスクにテストパターンデータ及び該テストパターンデータの隣接トラックに記録された別のデータが必要である（特許文献２）とか、予め２つの学習領域にデータが記録された光ディスクを使用する（特許文献３）とか、特別の光ディスクを必要とし、汎用性がない。
【００２２】
特許文献１に示された技術にあっては、信号の書き込み自体を如何に高品位に行うかということを目的としていて、ジッターの根本原因を除去しようとしている点、高品位の信号の書き込みを行うために、駆動電流が大きな要因である点に着目している点で本発明の目指すところと同根である。
【００２３】
しかしながら、特許文献１に記載されて技術にあっては、予め、幾つかの異なるライトパワー毎にジッター量の測定を行い、ジッター量が最小となるライトパワーを求め、当該ライトパワーを最適ライトパワーとして記憶し、この最適ライトパワーを実際のデータ記録の時に利用するものである。つまり、予め決めたライトパワーを当該光ディスクの全域に亘って最適であると仮定して、後は、当該最適ライトパワーによって全ての領域について書き込みを行うものであって、その時々、その場所場所にとって常に最適な書き込みが行われるとは限らない。また、書き込み用レーザ光源しか持たない特許文献１の装置にあっては、ジッター量を測定し、それをフィードバック制御に利用して書き込みを行うことはできない。
【００２４】
本発明は、上記した事情に鑑みて為されたものであり、光ディスクに対して常に最良の状態の信号の書き込みを行うことを課題とする。
【００２５】
【課題を解決するための手段】
本発明光ピックアップ装置は、上記した課題を解決するために、光ディスクへの信号の書き込みを行う書き込み用レーザ光源と、上記書き込み用レーザ光源によって上記光ディスクに書き込まれた直後の信号を読み取る読取用レーザ光源と、上記読取用レーザ光源によって読み取った再生信号からジッター量を検出するジッター量測定手段と、上記ジッター量測定手段の測定結果に基づいて上記書き込み用レーザ光源を駆動する電流を制御する制御手段とを有するものである。
【００２６】
また、本発明光ディスクドライブ装置は、上記した課題を解決するために、光ディスクを回転させるディスク駆動手段と、ディスク駆動手段によって回転される光ディスクの半径方向に移動しながら光ディスクへの信号の書き込み及び書き込まれた信号の読取を行う光ピックアップ装置とを備え、上記光ピックアップ装置は、信号の書き込みを行う書き込み用レーザ光源と、上記書き込み用レーザ光源によって上記光ディスクに書き込まれた直後の信号を読み取る読取用レーザ光源と、上記読取用レーザ光源によって読み取った再生信号からジッター量を検出するジッター量測定手段と、上記ジッター量測定手段の測定結果に基づいて上記書き込み用レーザ光源を駆動する電流を制御する制御手段とを有するものである。
【００２７】
従って、本発明にあっては、光ディスクに書き込まれた直後の信号の書き込み状態に基づいて決定した最適な駆動電流によって信号の書き込みを行う。
【００２８】
【発明の実施の形態】
以下に、本発明の実施の形態を添付図面を参照して説明する。
【００２９】
図１は本発明にかかる光ディスクドライブ装置１０の主要構成部を示すブロック図である。
【００３０】
光ディスクドライブ装置１０は光ディスク２０を回転させるディスク駆動手段３０と光ディスク２０に対する信号の書き込み及び読取を行う光ピックアップ装置４０を備える。
【００３１】
ディスク駆動手段３０は例えば、スピンドルモータ、スピンドルモータによって回転されるディスクテーブル、ディスクテーブルに光ディスク２０を保持するチャッキング手段等を備える。
【００３２】
ここで光ディスク２０は、光パワーによって信号の書き込みが為される記録媒体ディスクであれば良く、例えば、ＣＤ−Ｒ、ＣＤ−ＲＷ（Ｃｏｍｐａｃｔ  Ｄｉｓｃ  Ｒｅｗｒｉｔａｂｌｅ）、ＭＤ（Ｍｉｎｉ−Ｄｉｓｃ）、ＤＶＤ−ＲＡＭ（Ｄｉｇｉｔａｌ  Ｖｅｒｓａｔｉｌｅ  Ｄｉｓｃ  Ｒａｎｄａｍ  Ａｃｃｅｓｓ  Ｍｅｍｏｒｙ）、ＤＶＤ−Ｒ、ＤＶＤ＋Ｒ、ブルーレイディスク等種々のものが使用可能である。すなわち、光パワーによって、ピット形状の形成、反射率や屈折率の異種領域の形成、ファラデー回転、カー効果等の光磁気効果を利用して検知できる領域の形成、ホログラムの領域形成等種々の手法によって信号を記録するものを含む。
【００３３】
光ディスク２０はディスク駆動手段３０によって回転され、光ピックアップ装置４０は該回転される光ディスク２０の半径方向に移動しながら光ディスク２０の記録面にレーザ光をスポット状に照射し、該スポット光によって信号の書き込みをし、また、該スポット光が光ディスク２０の記録面で反射された戻り光を検出して信号の読取を行うものである。
【００３４】
光ピックアップ装置４０は、信号の書き込みに使用される書き込み用レーザ光源４１と光ディスク２０に記録された信号の読取に使用される読取用レーザ光源４２を備える。書き込み用レーザ光源４１としては、例えば、出力３０ｍＷ（ミリワット）以上のクラスの高出力の半導体レーザが、また、読取用レーザ光源４２としては、例えば、出力３ｍＷ（ミリワット）以上のクラスの低出力半導体レーザが一般に使用されるが、勿論これらに限定されるものではない。
【００３５】
書き込み用レーザ光源４１のレーザ光は図示しない対物レンズを含む光学系４３によって光ディスク２０の記録面にスポット照射される。これによって、光ディスク２０の記録面に、例えば、信号に応じた長さのピット２１、２１、・・・が形成される。
【００３６】
読取用レーザ光源４２のレーザ光は図示しない対物レンズを含む光学系４４によって光ディスク２０の記録面にスポット照射される。この読取用レーザ光がスポット照射される位置は、上記書込用レーザ光がスポット照射される位置の僅かに下流側、すなわち、書き込み用レーザ光の照射位置から光ディスク２０の回転方向に僅かに隔たった位置とされる。これによって、書込用レーザ光源４１によって書き込まれた直後の信号（ピット２１）の読取を行うことができる。
【００３７】
光ディスク２０の記録面にスポット照射され、且つ、そこで反射された読取レーザ光の戻り光は光学系４４を経て受光器４５によって受光される。
【００３８】
光ピックアップ装置４０は光ディスク２０の半径方向に移動しながら、スポット光を光ディスク２０に照射するので、移動部分を有する。そして、少なくともレーザ光源４１、４２、レーザ光源４１、４２のレーザ光を所望の経路に通す光学系及び受光器４５、対物レンズをフォーカス方向及びトラッキング方向に駆動するレンズ駆動部が上記移動部分を構成し、その他の部分、例えば、読取用レーザ光源４２のレーザ光によって読み取った再生信号からジッター量を検出し、その検出結果に基づいて書き込み用レーザ光源４１の駆動電流を制御する制御ブロック５０等は、通常、シャーシ等の固定部に構成される。
【００３９】
上記制御ブロック５０においては、上記受光器４５で受光した再生信号は、プリアンプ５１で増幅された後、波形等化器５２によって波形干渉の小さい信号に変えられ、さらに整形器５３によって信号の有無を表すパルス信号に変換され、ＰＬＬ５４に入力される。ＰＬＬ５４に入力された信号は復調器５５で復調された後データ信号として取り出される経路と、ジッター量測定手段５６によってジッター量の計測をされる経路とに分けられ、ジッター量測定手段５６によってジッター量が計測される。ここで使用されるジッター量測定手段５６は特殊なものである必要はなく、現在実用化されているジッター量測定手段、例えば、上記特許文献１、特許文献２及び特許文献３等に具体的に示されているジッター量測定手段を使用することができる。なお、上記データ信号として取り出された信号はさらに処理した後、スピーカ、外部機器等に出力することができる。
【００４０】
ジッター量測定手段５６で計測されたジッター量に関するデータが電流制御回路５７に送られ、該電流制御回路５７において、ジッター量に応じてどのような電流制御を行うかが決定され、その決定に従って書き込み用レーザ光源４１の駆動回路５８が駆動されて、所定の電流制御が行われる。すなわち、電流制御回路５７は、書き込み用レーザ光源４１を駆動する電流を制御する制御手段とされる。
【００４１】
上記電流制御回路５７においては、ジッター量測定手段５６で計測されたジッター量に応じて、上記前バイアス電流Ｉ１、発光電流Ｉ２、後バイアス電流Ｉ３が決められ、また、必要に応じて、前バイアス電流Ｉ１と発光電流Ｉ２との間に所定のパルス電流（中間パルス）をどのようなタイミングで挿入するか等の適宜の制御方法が決定される。
【００４２】
仮に、前バイアス電流Ｉ１の制御を行う場合を例にとって、その制御のフローを図２及び図３に示す。
【００４３】
光ディスク２０への信号の書き込み動作が開始される（スタート）と、先ず、予め設定されている標準設定値の前バイアス電流Ｉ１を有する駆動電流で書き込みを開始し（ステップ１（Ｓ１））、ステップ２（Ｓ２）へ進む。
【００４４】
ステップ２（Ｓ２）でジッター量を測定し、ステップ３（Ｓ３）にて上記測定されたジッター量が基準ジッター量（例えば、７％以下）より小さいか否かの判断をする。
【００４５】
ステップ３（Ｓ３）で基準ジッター量より小さい（ＹＥＳ）と判断された場合はステップ４（Ｓ４）に進み、基準ジッター量より小さくない（ＮＯ）と判断されたときはステップ５に進む。
【００４６】
ステップ４（Ｓ４）では書き込みが満足に行われていると判断してそのままの電流値で書き込みを続行する。
【００４７】
ステップ５（Ｓ５）では前回の前バイアス電流Ｉ１より値を上げた前バイアス電流Ｉ１によって書き込みを行いステップ６（Ｓ６）に進む。
【００４８】
ステップ６（Ｓ６）ではジッター量の測定を行いステップ７（Ｓ７）においてはステップ６（Ｓ６）にて測定した結果を前回のジッター量と比較し、前回より少ないか変わらない場合はステップ８（Ｓ８）に進み、前回より大きい場合にはステップ９（Ｓ９）に進む。
【００４９】
ステップ８（Ｓ８）の場合、すなわち、ジッター量が前回より少ないか変わらない場合はステップ１０（Ｓ１０）でジッター量が基準ジッター以下であるか否かの判断が為され、基準ジッター量以下の場合（ＹＥＳ）はステップ１１（Ｓ１１）に進んで、そのまま書き込みを実行し、基準ジッター量以下でない場合（ＮＯ）にはステップ５（Ｓ５）に戻る。
【００５０】
ステップ７（Ｓ７）で、ジッター量が前回より大きかったと判断された場合は、前バイアス電流Ｉ１の値を標準設定値より下げて書き込みを行い（ステップ９（Ｓ９））、ステップ１２（Ｓ１２）へと進む。
【００５１】
ステップ１２（Ｓ１２）ではジッター量の測定を行い、次いで、ステップ１３（Ｓ１３）でステップ１２（Ｓ１２）で測定したジッター量と前回のジッター量との比較を行い、前回のジッター量と同じか少ない場合にはステップ１４に進み、ジッター量が前回より大きい場合にはステップ１５（Ｓ１５）に進む。
【００５２】
ステップ１３（Ｓ１３）で測定したジッター量が前回のジッター量と同じか少ない場合（ステップ１４（Ｓ１４））ではステップ１６（Ｓ１６）でジッター量（ステップ１２（Ｓ１２）で測定した）が基準ジッター量以下であるか否かの判断が為され、基準ジッター量以下であれば（ＹＥＳ）そのまま書き込みを実行し、基準ジッター量以下でなければ（ＮＯ）ステップ９（Ｓ９）に戻る。
【００５３】
ステップ１３（Ｓ１３）での判断の結果、ジッター量が前回より大きくなっているとされた場合は、ステップ１５（Ｓ１５）で前バイアス電流Ｉ１を基準値に戻し、書き込み動作を終了する。
【００５４】
この図２及び図３のフローチャートでは、ジッター量が基準ジッター量より大きかった場合、まず、前バイアス電流Ｉ１を増加させる制御を行うようにした手順を示したが、始めに、前バイアス電流Ｉ１を下げる制御を行う手順としても良い。要するに、前バイアス電流を上げたり下げたりしながらジッター量が基準値以下になるまで制御を行う。
【００５５】
上記したフローチャートに示したジッター量の測定と判断、そして、前バイアス電流Ｉ１の制御は光ディスク２０への書き込みを行っている最中に継続的に為される。このジッター適正化の動作の設定は、自由に決めることができ、例えば、５分ごとに行うというように設定しておけば、５分ごとにジッター適正化の動作が為されることになる。あるいは、書き込みはじめと書き込み終了前に行うと設定しておけば、２度ジッター適正化の動作が行われることになる。
【００５６】
図２及び図３ではジッター量測定の結果に基づいて前バイアス電流Ｉ１の値を制御する場合を示したが、本発明における駆動電流の制御が、前バイアス電流Ｉ１の制御のみを為すものでないことは前記したとおりである。しかしながら、前バイアス電流Ｉ１の制御がジッター量の減少にとって有効な手段であることを図４に示す。
【００５７】
図４は、前バイアス電流Ｉ１を変化させ、その都度ジッター量を測定した結果をプロットした（中抜き丸印で示す）ものであるが、プロットした点をつないだ曲線で分かるように、ほぼ舟形の形状を示す。すなわち、前バイアス電流Ｉ１は適正値から大きすぎても少なすぎてもジッター量は増加し、書き込み品位は低下するものである。
【００５８】
本発明にあっては、光ディスクへの書き込みが為された直後の書き込み信号を再生して、該再生信号からジッター量を測定し、その測定結果に基づいて書き込み用レーザ光源の駆動電流を制御するものであるので、実時間（ｒｅａｌ−ｔｉｍｅ）での書き込み最適条件を設定することができる。そのため、光ディスクに予め、ジッター測定のための特定のトラックや記録領域を設けておく必要がなく、一般に市販されている光ディスクを使用して、当該光ディスクに関しての最適条件で書き込みを為すことができる。
【００５９】
また、書き込み中にリアルタイムで書き込み状態を確認することができるため、無駄な記録をすることがなくなる。
【００６０】
さらに、現実にはジッターが多くて記録が不可能であるといわれていた高速での高品位な信号の記録を実現することができ、超高速での記録を可能にすることができる。
【００６１】
さらにまた、ＣＤ系からＤＶＤ系へ、さらに、ブルーレイディスク系へと展開してきている高密度記録において、ますます厳しくなるジッター管理を容易にし、失敗の少ない記録が可能になる。
【００６２】
なお、上記した実施の形態では、書き込み用レーザ光源の駆動電流を制御することについてのみ説明したが、ジッターの悪化は、この（書き込みパルス電流波形）ほかにも、光ディスクの光ピックアップの光軸とのチルト角やスピンドルモータの回転揺らぎ（回転サーボ揺れ）等にも依存する。そこで、上記した駆動電流の制御に加えて、ジッター測定の結果をチルトサーボ回路やスピンドル制御回路等にフィードバックすれば、さらなるジッターの低減が可能になる。
【００６３】
その他、上記した実施の形態において示した各部の形状及び構造並びに手法は、何れも本発明を実施するに際して行う具体化のほんの一例を示したものにすぎず、これらによって本発明の技術的範囲が限定的に解釈されるようなことがあってはならないものである。
【００６４】
【発明の効果】
以上に記載したところから明らかなように、本発明光ピックアップ装置は、光ディスクに光パワーによって信号の書き込みをする光ピックアップ装置であって、信号の書き込みを行う書き込み用レーザ光源と、上記書き込み用レーザ光源によって上記光ディスクに書き込まれた直後の信号を読み取る読取用レーザ光源と、上記読取用レーザ光源によって読み取った再生信号からジッター量を検出するジッター量測定手段と、上記ジッター量測定手段の測定結果に基づいて上記書き込み用レーザ光源を駆動する電流を制御する制御手段とを有することを特徴とする。
【００６５】
また、本発明光ディスクドライブ装置は、光ディスクに光パワーによって信号の書き込み及び書き込まれた信号の読取を行う光ディスクドライブ装置であって、光ディスクを回転させるディスク駆動手段と、ディスク駆動手段によって回転される光ディスクの半径方向に移動しながら光ディスクへの信号の書き込み及び書き込まれた信号の読取を行う光ピックアップ装置とを備え、上記光ピックアップ装置は、信号の書き込みを行う書き込み用レーザ光源と、上記書き込み用レーザ光源によって上記光ディスクに書き込まれた直後の信号を読み取る読取用レーザ光源と、上記読取用レーザ光源によって読み取った再生信号からジッター量を検出するジッター量測定手段と、上記ジッター量測定手段の測定結果に基づいて上記書き込み用レーザ光源を駆動する電流を制御する制御手段とを有することを特徴とする。
【００６６】
従って、本発明にあっては、光ディスクに書き込まれた直後の信号を再生してジッター量を測定し、該ジッター量の測定結果に基づいて決定した最適な駆動電流によって信号の書き込みを行う。そのため、ジッター量を低減した常に最適な状態での信号の書き込みを行うことができる。よって、記録の高速化及び記録の高密度化に対応することができる。
【００６７】
また、光ディスクに予め特別の学習領域やテストパターンデータ等を記録しておく必要がなく、そのため、一般に市販されている光ディスクに対して常に最適な状態での信号の記録を行うことができ、汎用性の高いものとなる。
【図面の簡単な説明】
【図１】本発明の実施の形態の主要構成部を示すブロック図である。
【図２】本発明実施の形態にかかるフローチャートである。
【図３】図２示した手順に続く手順を示すフローチャート図である。
【図４】前バイアス電流とジッター量との相関関係を示すグラフ図である。
【図５】書き込み用レーザの駆動電流と光ディスクに書き込まれた波形との関係を示すグラフ図である。
【符号の説明】
１０…光ディスクドライブ装置、２０…光ディスク、２１…ピット（光ディスクに書き込まれた信号）、３０…ディスク駆動手段、４０…光ピックアップ装置、４１…書き込み用レーザ光源、４２…読取用レーザ光源、５６…ジッター量測定手段、５７…電流制御回路（制御手段）
【図１】
2005025873.tif 000004
【図２】
2005025873.tif 000005
【図３】
2005025873.tif 000006
【図４】
2005025873.tif 000007
【図５】
2005025873.tif 000008